(57)【要約】【課題】商用電源が遮断可能となったことを、適正なタイミングで、ユーザに報知することができる投写型表示装置を提供する。【解決手段】投写型表示装置は、ランプ２１と、ランプ２１からの光を変調するための液晶パネル２３、２４、２５と、ランプ２１を冷却するためのランプ冷却ファン４１と、商用電源から当該投写型表示装置の各部への電源を生成する電源部１１４とを備える。制御部１０１は、運転状態からスタンバイ状態へ移行すべく、シャットダウン処理を実行する。シャットダウン処理には、前記液晶パネル２３、２４，２５の電源立ち下げシーケンスと、ランプ２１を冷却する処理が含まれる。制御部１０１は、電源立ち下げシーケンスが完了し、且つ、ランプ２１が所定の温度状態まで冷却されたと判定した場合に、ＬＥＤ５０によって商用電源が遮断可能である旨を報知する。【選択図】図３
2011085806.tif 000002
【特許請求の範囲】
【請求項１】
投写型表示装置において、
運転状態からスタンバイ状態へ移行するために、シャットダウン処理を実行するシャットダウン制御部と、
前記シャットダウン処理の実行時に、当該シャットダウン処理に関連して予め定められた遮断条件が満たされたか否かを判定し、前記遮断条件が満たされた場合に、当該投写型表示装置に対する商用電源が遮断可能である旨の遮断可能報知を行う報知制御部と、を備え、
前記遮断条件は、外的要因により前記シャットダウン処理開始からの時間が変動し得る条件を含む、
ことを特徴とする投写型表示装置。
【請求項２】
請求項１に記載の投写型表示装置において、
光源と、
前記光源からの光を変調するための液晶パネルと、
前記光源を冷却するための光源冷却部と、
商用電源から当該投写型表示装置の各部への電源を生成する電源部と、
を備え、
前記シャットダウン処理は、前記液晶パネルへの電源を立ち下げるための電源立ち下げ処理と、前記光源を冷却するための光源冷却処理とを含み、
前記報知制御部は、前記電源立ち下げ処理が終了し、且つ、前記光源冷却処理によって前記光源が所定の温度状態まで冷却されたと判定した場合に、前記遮断可能報知を行う、
ことを特徴とする投写型表示装置。
【請求項３】
請求項２に記載の投写型表示装置において、
前記電源部を冷却するための電源冷却部を備え、
前記シャットダウン処理は、前記電源部を冷却するための電源冷却処理を含み、
前記報知制御部は、前記電源立ち下げ処理が終了し、且つ、前記光源冷却処理によって前記光源が所定の温度状態まで冷却され、且つ、前記電源冷却処理によって前記電源部が所定の温度状態まで冷却されたと判定した場合に、前記遮断可能報知を行う、
ことを特徴とする投写型表示装置。
【請求項４】
請求項３に記載の投写型表示装置において、
前記シャットダウン処理は、所定のデータを記憶するためのデータ記憶処理を含み、
前記報知制御部は、前記電源立ち下げ処理が終了し、且つ、前記光源冷却処理によって前記光源が所定の温度状態まで冷却され、且つ、前記電源冷却処理によって前記電源部が所定の温度状態まで冷却され、且つ、前記データ記憶処理が終了したと判定した場合に、前記遮断可能報知を行う、
ことを特徴とする投写型表示装置。
【請求項５】
請求項２に記載の投写型表示装置において、
前記シャットダウン処理は、所定のデータを記憶するためのデータ記憶処理を含み、
前記報知制御部は、前記電源立ち下げ処理が終了し、且つ、前記光源冷却処理によって前記光源が所定の温度状態まで冷却され、且つ、前記データ記憶処理が終了したと判定した場合に、前記遮断可能報知を行う、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
一般に、投写型表示装置（以下、「プロジェクタ」という）では、商用電源に接続されると、ＣＰＵ等からなる制御部への電源供給がなされてスタンバイ状態となる。スタンバイ状態において、たとえばメインスイッチ（電源スイッチ）がＯＮされると、制御部により、ランプや液晶パネル等が起動されて運転が開始される。
【０００３】
運転状態において、メインスイッチがＯＦＦされると、再びスタンバイ状態へと移行すべく、制御部により所定のシャットダウン処理が行われる。シャッダウン処理では、種々の処理が実行される。たとえば、ランプを保護するために、ランプをオフした後もランプ用の冷却ファンを引き続き動作させる処理が行われる（特許文献１参照）。この他、たとえば、液晶パネルを保護するため、液晶パネルへの電源を、所定の手順に従って停止させる処理などが行われ得る。
【０００４】
シャットダウン処理が終了すると、プロジェクタはスタンバイ状態となり、その旨がＬＥＤ表示等により報知される。通常、ユーザは、スタンバイ状態になるのを待って、プロジェクタへの商用電源の供給を遮断する。
【０００５】
しかしながら、シャットダウン処理に含まれる全ての処理が完了するには、ある程度の時間を要する。このため、ユーザに時間がない場合、シャットダウン処理の途中でプロジェクタへの商用電源が遮断されてしまうことが起こり得る。この場合、シャットダウン処理が途中で終了してしまうので、処理の段階によっては、動作不良や故障につながる惧れがある。
【０００６】
そこで、スタンバイ状態となる前に、即ち、シャットダウン処理が、商用電源の遮断に耐え得る最低限の段階まで終了したタイミングで、商用電源が遮断可能になったことをＬＥＤ表示等により報知する構成が取られ得る。
【先行技術文献】
【特許文献】
【０００７】
【特許文献１】特開平０４−５３９４３号公報
【発明の概要】
【発明が解決しようとする課題】
【０００８】
シャットダウン処理は、上述のように複数の処理で構成されるため、遮断可能な旨を報知する時点において、各処理が遮断可能な状態となっていることが必要となる。たとえば、液晶パネルの電源を停止する処理の場合には、処理が完了している必要があり、ランプを冷却する処理の場合には、ランプの劣化を考慮した最低限の冷却状態にある必要がある。
【０００９】
そこで、たとえば、遮断可能な状態となるまでの時間が最も長くなる処理を基準として一定の遮断時間を予め設定し、シャットダウン処理が開始されてから遮断時間が経過すると、遮断可能の報知を行う構成が考えられる。
【００１０】
しかし、液晶パネルの電源を停止する処理の場合には、処理に要する時間はほぼ一定となるものの、ランプを冷却する処理の場合には、外気温度や外気圧により冷却能力が変動するため、これに伴い最低限の冷却に必要な時間が変動する。
【００１１】
よって、このような変動分を考慮して遮断時間を設定すると、どうしても遮断時間を長く設定する必要が生じる。このため、実際に遮断可能になったタイミングよりも、報知が遅くなってしまう場合が多くなる。したがって、商用電源が遮断可能になったことを、適正なタイミングで、ユーザに報知することができない惧れがある。
【００１２】
本発明は、かかる課題に鑑みてなされたものであり、商用電源が遮断可能となったことを、適正なタイミングで、ユーザに報知することができる投写型表示装置を提供することを目的とする。
【課題を解決するための手段】
【００１３】
本発明の投写型表示装置は、運転状態からスタンバイ状態へ移行するために、シャットダウン処理を実行するシャットダウン制御部と、前記シャットダウン処理の実行時に、当該シャットダウン処理に関連して予め定められた遮断条件が満たされたか否かを判定し、前記遮断条件が満たされた場合に、当該投写型表示装置に対する商用電源が遮断可能である旨の遮断可能報知を行う報知制御部とを備える。ここで、前記遮断条件は、外的要因により前記シャットダウン処理開始からの時間が変動し得る条件を含んでいる。
【００１４】
本発明によれば、商用電源が遮断可能となるまでの時間が外的要因により変動する場合であっても、商用電源が遮断可能となったことを、適正なタイミングで、報知することができる。
【００１５】
より具体的には、本発明の投写型表示装置は、光源と、前記光源からの光を変調するための液晶パネルと、前記光源を冷却するための光源冷却部と、商用電源から当該投写型表示装置の各部への電源を生成する電源部とを備える構成とされ得る。ここで、前記シャットダウン処理は、前記液晶パネルへの電源を立ち下げるための電源立ち下げ処理と、前記光源を冷却するための光源冷却処理とを含み得る。この場合、前記報知制御部は、前記電源立ち下げ処理が終了し、且つ、前記光源冷却処理によって前記光源が所定の温度状態まで冷却されたと判定した場合に、前記遮断可能報知を行う。
【００１６】
このような構成とすれば、外気温度等の影響によって光源が所定の温度状態となるまでの時間が変動しても、商用電源が遮断可能となったことを、適正なタイミングで、報知することができる。また、光源が所定の温度状態となるまでの時間が、電源立ち下げ処理が終了する時間より短くなっても、電源立ち下げ処理が終了した後に遮断可能報知を行うことができる。
【００１７】
また、本発明の投写型表示装置は、前記電源部を冷却するための電源冷却部を備える構成とされ得る。ここで、前記シャットダウン処理は、前記電源部を冷却するための電源冷却処理を含み得る。この場合、前記報知制御部は、前記電源立ち下げ処理が終了し、且つ、前記光源冷却処理によって前記光源が所定の温度状態まで冷却され、且つ、前記電源冷却処理によって前記電源部が所定の温度状態まで冷却されたと判定した場合に、前記遮断可能報知を行う。
【００１８】
このような構成とすれば、外気温度等の影響によって光源や電源部が所定の温度状態となるまでの時間が変動しても、商用電源が遮断可能となったことを、適正なタイミングで、報知することができる。
【００１９】
さらに、本発明の投写型表示装置において、前記シャットダウン処理は、所定のデータを記憶するためのデータ記憶処理を含み得る。この場合、前記報知制御部は、前記電源立ち下げ処理が終了し、且つ、前記光源冷却処理によって前記光源が所定の温度状態まで冷却され、且つ、前記電源冷却処理によって前記電源部が所定の温度状態まで冷却され、且つ、前記データ記憶処理が終了したと判定した場合に、前記遮断可能報知を行う。
【００２０】
あるいは、前記報知制御部は、前記電源立ち下げ処理が終了し、且つ、前記光源冷却処理によって前記光源が所定の温度状態まで冷却され、且つ、前記データ記憶処理が終了したと判定した場合に、前記遮断可能報知を行う。
【００２１】
このような構成とすれば、データ量の大小や通信形態によって所定の記憶部へデータを記憶させる時間が変動しても、商用電源が遮断可能となったことを、適正なタイミングで、報知することができる。なお、前記記憶部は、投写型表示装置内にあっても良いし、外部サーバー等、外部の装置にあっても良い。
【発明の効果】
【００２２】
以上のとおり、本発明によれば、商用電源が遮断可能となったことを、適正なタイミングで、ユーザに報知することができる投写型表示装置を提供することができる。
【００２３】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２４】
【図１】実施の形態に係るプロジェクタの構成を示す外観斜視図である。
【図２】実施の形態に係る光学エンジンの構成を示す図である。
【図３】実施の形態に係るプロジェクタの構成を示すブロック図である。
【図４】実施の形態に係る液晶パネルについて説明するための図である。
【図５】実施の形態に係る電源遮断条件テーブルを示す図である。
【図６】実施の形態に係る電源遮断条件テーブルの監視フラグを設定するための処理を示すフローチャートである。
【図７】実施の形態に係る遮断可能報知処理を示すフローチャートである。
【図８】変更例１に係るプロジェクタの構成を示すブロック図である。
【図９】変更例１に係る電源遮断条件テーブルを示す図である。
【図１０】変更例１に係る電源遮断条件テーブルの監視フラグを設定するための処理を示すフローチャートである。
【図１１】変更例１に係る遮断可能報知処理を示すフローチャートである。
【図１２】変更例２に係る電源遮断条件テーブルの監視フラグを設定するための処理を示すフローチャートである。
【発明を実施するための形態】
【００２５】
以下、図面を参照して、実施の形態に係るプロジェクタについて説明する。
【００２６】
図１は、プロジェクタの構成を示す外観斜視図である。同図を参照して、プロジェクタは、横長の略直方体形状を有するキャビネット１０を備えている。キャビネット１０には、前面左側に投写窓１１が形成されており、前面右側および右側面にキャビネット１０内部から排気を行うための排気口１２、１３がそれぞれ形成されている。また、キャビネット１０の上面には、メインスイッチ等、複数の操作ボタンが配された操作部１４が設けられている。
【００２７】
キャビネット１０の内部には、光学エンジン２０および投写レンズ３０が配されている。光学エンジン２０は、映像信号により変調された映像光を生成する。光学エンジン２０には、投写レンズ３０が装着されており、投写レンズ３０の前端部が、投写窓１１から前方に露出している。投写レンズ３０は、光学エンジン２０で生成された映像光を、プロジェクタの前方に配されたスクリーンに拡大投写する。
【００２８】
図２は、光学エンジン２０の構成を示す図である。
【００２９】
同図の如く、光学エンジン２０は、ランプ２１と、導光光学系２２と、３つの透過型の液晶パネル２３、２４、２５と、ダイクロイックプリズム２６とを備えている。なお、液晶パネル２３、２４、２５の入射側と出射側には図示しない偏光板が配されている。
【００３０】
ランプ２１は、たとえば、メタルハライドランプやキセノンランプである。ランプ２１から出射された白色光は、導光光学系２２によって赤色波長帯の光（以下、「Ｒ光」という）と、緑色波長帯の光（以下、「Ｇ光」という）と、青色波長帯の光（以下、「Ｂ光」という）に分離され、液晶パネル２３、２４、２５に照射される。これら液晶パネル２３、２４、２５によって変調されたＲ光、Ｇ光、Ｂ光は、ダイクロイックプリズム２６によって色合成され、映像光として出射される。
【００３１】
なお、光学エンジン２０を構成する光変調素子としては、上記透過型の液晶パネル２３、２４、２５の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００３２】
図３は、プロジェクタの構成を示すブロック図である。
【００３３】
プロジェクタには、ランプ２１を冷却するためのランプ冷却ファン４１、電源部（後述する）を冷却するための電源冷却ファン４２、および液晶パネル２３、２４、２５を冷却するためのパネル冷却ファン４３が配されている。また、プロジェクタの運転状況を報知するためのＬＥＤ５０が配されている。
【００３４】
プロジェクタは、ランプ２１や液晶パネル２３、２４、２５等を駆動制御するため、制御部１０１、記憶部１０２、操作入力部１０３、リモコン受信部１０４、外気温度センサ１０５、気圧センサ１０６、ランプ温度センサ１０７、映像信号処理部１０８、パネル駆動部１０９、ファン駆動部１１０、ランプ駆動部１１１、ＬＥＤ駆動部１１２、通信処理部１１３、電源部１１４を備えている。
【００３５】
操作入力部１０３は、操作部１４のボタン操作に応じた入力信号を制御部１０１に出力する。リモコン受信部１０４は、リモコン（図示せず）のボタン操作に応じた入力信号を制御部１０１に出力する。
【００３６】
外気温度センサ１０５は、プロジェクタの外気温度（周囲温度）を検出し、検出した温度に応じた温度信号を制御部１０１に出力する。気圧センサ１０６は、外気圧を検出し、検出した気圧に応じた気圧信号を制御部１０１に出力する。ランプ温度センサ１０７は、ランプ２１の温度（以下、「ランプ温度」という）を検出し、検出したランプ温度に応じた温度信号を制御部１０１に出力する。ランプ温度センサ１０７は、ランプ２１に接触させてもよいし、ランプ２１から少し離して配してもよい。ランプ温度センサ１０７がランプ２１と離された場合には、ランプ温度が間接的に検出されることとなる。
【００３７】
映像信号処理部１０８は、外部から入力された映像信号を液晶パネル２３、２４、２５で表示できるＲＧＢの映像信号に変換してパネル駆動部１０９に出力する。パネル駆動部１０９は、入力された映像信号および制御部１０１からの制御信号に従って液晶パネル２３、２４、２５を駆動する。
【００３８】
ファン駆動部１１０は、制御部１０１からの制御信号に従って、ランプ冷却ファン４１、電源冷却ファン４２およびパネル冷却ファン４３を駆動する。ランプ駆動部１１１は、制御部１０１からの制御信号に従ってランプ２１を駆動する。ＬＥＤ駆動部１１２は、制御部１０１からの制御信号に従ってＬＥＤ５０を駆動する。
【００３９】
通信処理部１１３は、ＬＡＮ等のネットワークを介して、外部機器やサーバーとプロジェクタとの間でデータの送受信を行う。
【００４０】
記憶部１０２は、ＲＡＭ、ＲＯＭ等で構成されている。記憶部１０２には、制御部１０１に制御機能を付与するための制御プログラムが記憶されている。制御部１０１は、ＣＰＵを備え、かかる制御プログラムに従って各部を制御する。
【００４１】
電源部１１４は、図の破線に示すように、制御部１０１等、プロジェクタの各部へ電源を供給する。電源部１１４には、接続部６０に接続されたＡＣケーブルを介して商用電源が供給される。ユーザによってＡＣケーブルのプラグが電源コンセントから抜かれると、プロジェクタへの商用電源の供給が遮断される。
【００４２】
図４は、液晶パネル２３、２４、２５について説明するための図である。
【００４３】
図４（ａ）に示すように、液晶パネル２３、２４、２５には、電源端子と、映像信号端子と、パネル制御信号端子と、クロック信号端子が配されている。
【００４４】
液晶パネル２３、２４、２５では、液晶パネルの寿命低下などを防止するため、液晶パネルの仕様により定められた電源立下げシーケンスに従って電源が立ち下げられる。たとえば、図４（ｂ）に示すように、映像信号端子、パネル制御信号端子およびクロック信号端子が所定の電位に保持され（Ｓ１０１）、最後に電源端子に入力されていた電源が遮断される（Ｓ１０２）。
【００４５】
さて、本実施の形態のプロジェクタでは、ＡＣプラグがコンセントに差し込まれることによって、プロジェクタへ商用電源が投入されると、電源部１１４から制御部１０１への電源供給がなされてスタンバイ状態となる。スタンバイ状態において、操作部１４のメインスイッチがＯＮされると、制御部１０１は、ランプ２１、液晶パネル２３、２４、２５、各冷却ファン４１、４２、４３等を起動し運転を開始する。こうして、入力された映像信号に基づく映像がスクリーンに投写される。
【００４６】
運転状態において、メインスイッチがＯＦＦされると、制御部１０１は、再びスタンバイ状態へと移行すべく、所定のシャットダウン処理を実行する。制御部１０１は、シャットダウン処理の一つとして、前述した図４（ｂ）の液晶パネル２３、２４、２５の電源立ち下げシーケンスを実行する。また、シャットダウン処理として、制御部１０１は、ランプ２１および電源部１１４を冷却する処理を実行する。即ち、制御部１０１は、ランプ２１を消灯するがその後もランプ２１が十分に冷却されるまでの時間（たとえば、１〜２分程度の時間）だけランプ冷却ファン４１を動作させる。また、電源部１１４が十分に冷却されるまでの時間（たとえば、１〜２分程度の時間）だけ電源冷却ファン４２を動作させる。
【００４７】
さらに、制御部１０１は、ランプ２１の積算使用時間などのシステムパラメータを記憶させる処理を実行する。システムパラメータは記憶部１０２に記憶される。あるいは、プロジェクタがＬＡＮ等のネットワークでサーバーや外部機器と接続されているときには、これらサーバーや外部機器の記憶部に、必要なシステムパラメータが記憶されることもある。この場合、システムパラメータが通信処理部１１３を介してサーバー等に送信される。これらの処理は、並行して実行される。
【００４８】
運転が終了すると、ユーザはプロジェクタの片づけ等を行うため、ＡＣケーブルを電源コンセントから抜いてプロジェクタへの商用電源を遮断する。通常、ユーザは、スタンバイ状態となった後に商用電源の遮断を行う。しかし、ユーザが急ぐ場合には、それよりも早いタイミングで商用電源が遮断され得る。この場合、シャットダウン処理が途中で終了してしまうので、処理の段階によっては、動作不良や故障につながる惧れがある。
【００４９】
そこで、本実施の形態のプロジェクタでは、シャッダウン処理が完了してスタンバイ状態となる前に、シャットダウン処理との関係で商用電源が遮断可能となったタイミングで、その旨を報知するようにしている。
【００５０】
以下、商用電源が遮断可能となったことを報知するための処理（以下、「遮断可能報知処理」という）について説明する。
【００５１】
図５は、遮断可能報知処理に用いられる電源遮断条件テーブルを示す図である。電源遮断条件テーブルは、商用電源の遮断を可能とするための遮断条件が設定されたテーブルであり、記憶部１０２に保持されている。本実施の形態では、遮断条件として、ランプ２１の温度と、液晶パネル２３、２４、２５の電源立ち下げシーケンスが用いられている。
【００５２】
電源遮断条件テーブルには、ランプ温度の状態を示す監視フラグ（以下、「ランプ温度フラグ」という）と、電源立ち下げシーケンスの状態を示す監視フラグ（以下、「パネル電源フラグ」という）が設定されている。ランプ温度フラグは、ランプ温度が後述の遮断可能温度ＴＡ以上のときには、図５（ａ）のように「０」に設定されており、ランプ温度が遮断可能温度ＴＡより低くなると、図５（ｂ）のように「１」に設定される。また、パネル電源フラグは、電源立ち下げシーケンスが途中であるときには、図５（ａ）のように「０」に設定されており、電源立ち下げシーケンスが完了すると、図５（ｂ）のように「１」に設定される。
【００５３】
図６は、電源遮断条件テーブルの監視フラグを設定するための処理を示すフローチャートである。図６（ａ）は、ランプ温度フラグの設定処理を示すフローチャートであり、図６（ｂ）は、パネル電源フラグの設定処理を示すフローチャートである。これら設定処理は、シャットダウン処理の開始とともに開始される。
【００５４】
まず、図６（ａ）を参照して、制御部１０１は、シャットダウン処理が開始されると、外気温度センサ１０５から外気温度を取得するとともに、気圧センサ１０６から外気圧を取得する（Ｓ２０１）。そして、取得した外気温度および外気圧に基づいて遮断可能温度ＴＡを設定する（Ｓ２０２）。遮断可能温度ＴＡは、ランプ２１の劣化を考慮した最低限の冷却を行うための基準となる温度である。
【００５５】
外気温度が低い場合には、ランプ冷却ファン４１が停止しても引き続きランプ２１の温度が低下しやすい。また、気圧が高い場合には、空気の密度が高く、ランプ冷却ファン４１が停止した後も周りの空気によって放熱されやすいため、ランプ２１の温度が低下しやすい。
【００５６】
一方、外気温度が高い場合には、ランプ冷却ファン４１が停止すると、その後温度が低下しにくい。また、外気圧が低い場合には、空気の密度が低く、ランプ冷却ファン４１が停止した後に周りの空気によって放熱されにくいため、ランプ２１の温度が低下しにくい。
【００５７】
よって、外気温度が低く外気圧が高いほど、遮断可能温度ＴＡが高く設定され、外気温度が高く外気圧が低いほど、遮断可能温度ＴＡが低く設定される。制御部１０１は、外気温度および外気圧を用いた演算処理等を行って、当該シャットダウン処理時の遮断可能温度ＴＡを求める。
【００５８】
次に、制御部１０１は、ランプ温度センサ１０７からランプ温度ＴＲを取得する（Ｓ２０３）。そして、ランプ冷却ファン４１による冷却が進むことにより、ランプ温度ＴＲが遮断可能温度ＴＡよりも低くなると（Ｓ２０４：ＹＥＳ）、制御部１０１は、「０」に設定されていたランプ温度フラグを「１」に設定する（Ｓ２０５）。
【００５９】
次に、図６（ｂ）を参照して、制御部１０１は、シャットダウン処理が開始されると、図示しない内部タイマーによって時間の計測を開始する（Ｓ３０１）。記憶部１０２には、予め設定された電源立ち下げシーケンスが完了するまでの所要時間が保持されている。制御部１０１は、所要時間が経過したと判定すると（Ｓ３０２：ＹＥＳ）、「０」に設定されていたパネル電源フラグを「１」に設定する（Ｓ３０３）。
【００６０】
図７は、遮断可能報知処理を示すフローチャートである。この処理は、シャットダウン処理の開始とともに開始される。
【００６１】
図７を参照して、制御部１０１は、シャットダウン処理が開始されると、電源遮断条件テーブルの監視を開始する（Ｓ４０１）。シャットダウン処理開始直後は、テーブル内のランプ温度フラグもパネル電源フラグも「０」のままなので（Ｓ４０２：「０」、Ｓ４０３：「０」）、制御部１０１は監視を続ける。
【００６２】
上述のように、ランプ温度ＴＲが遮断可能温度ＴＡより低くなると、ランプ温度フラグは「１」となる。また、電源立ち下げシーケンスが完了すると、パネル電源フラグは「１」となる。制御部１０１は、どちらか一方の監視フラグが「０」のままであれば監視を続ける。そして、双方の監視フラグが「１」となると（Ｓ４０２：ＹＥＳ→Ｓ４０３：ＹＥＳ）、制御部１０１は、商用電源が遮断可能である旨をユーザに報知する（Ｓ４０４）。かかる報知は、たとえば、ＬＥＤ５０の表示状態を「緑」の点灯表示から「赤」の点灯表示に変えることにより行われる。
【００６３】
この報知により、ユーザは、商用電源が遮断可能になったことを認識することができる。この報知によって、商用電源が遮断されれば、制御部１０１への電源供給が断たれるので、ここで処理が終了する。
【００６４】
一方、制御部１０１は、商用電源が遮断されないまま、全てのシャットダウン処理が完了すると（Ｓ４０５：ＹＥＳ）、プロジェクタがスタンバイ状態となった旨をユーザに報知する（Ｓ４０６）。かかる報知は、たとえば、ＬＥＤ５０の表示状態を、「赤」の点灯表示から「赤」の点滅表示に変えることにより行われる。
【００６５】
さて、パネル電源フラグが「１」となる時間は、一定の時間（所要時間）となる。一方、ランプ温度ＴＲが遮断可能温度ＴＡ以下となる時間、即ちランプ温度フラグが「１」となる時間は、その時々により変動する。これは、外気温度や外気圧が変化するとランプ冷却ファン４１による冷却能力が変化するためであり、また、外気温度や外気圧に応じて遮断可能温度ＴＡ自身が変更されるためである。
【００６６】
本実施の形態では、ランプ温度による遮断条件（ランプ温度フラグが「１」に設定）と液晶パネル２３、２４、２５の電源立ち下げシーケンスによる遮断条件（パネル電源フラグが「１」に設定）の全てが満たされたときに、商用電源が遮断可能である旨の報知が行われる。よって、外気温度や外気圧の変化によって、ランプ２１の冷却に要する時間が変動しても、商用電源が遮断可能となったことを適正なタイミングで報知することができる。また、ランプ２１の冷却に要する時間が液晶パネル２３、２４，２５の電源立ち下げシーケンスが完了する時間より短くなっても、電源立ち下げシーケンスの完了後に遮断可能報知を行うことができる。
【００６７】
＜変更例１＞
上記実施の形態では、商用電源の遮断を可能とするための遮断条件として、ランプ２１の温度と、液晶パネル２３、２４、２５の電源立ち下げシーケンスが用いられている。しかしながら、遮断条件をさらに付加することもできる。
【００６８】
図８は、変更例１に係るプロジェクタの構成を示すブロック図である。
【００６９】
変更例１では、上記実施の形態に対し、電源温度センサ１１５とＡＣスイッチ１１６が付加されている。電源温度センサ１１５は、電源部１１４の温度（以下、「電源温度」という）を検出し、検出した電源温度に応じた温度信号を制御部１０１に出力する。電源温度センサ１１５は、電源部１１４に接触させてもよいし、電源部１１４から少し離して配してもよい。電源温度センサ１１５が電源部１１４と離された場合には、電源温度が間接的に検出されることとなる。
【００７０】
ＡＣスイッチ部１１６は、電源部１１４への商用電源の投入、遮断をユーザが行うためのスイッチである。ユーザは、ＡＣスイッチ部１１６をＯＮ、ＯＦＦすることにより、ＡＣケーブルを電源コンセントから抜き差しすることなく、プロジェクタへの商用電源の投入、遮断を行うことができる。
【００７１】
図９は、変更例１に係る電源遮断条件テーブルを示す図である。本変更例では、遮断条件として、電源部１１４の温度と、システムパラメータの記憶処理が用いられている。
【００７２】
電源遮断条件テーブルには、新たに、電源温度の状態を示す監視フラグ（以下、「電源温度フラグ」という）と、システムパラメータの記憶処理の状態を示す監視フラグ（以下、「パラメータ記憶フラグ」という）が設定されている。電源温度フラグは、電源温度が後述の遮断可能温度ＴＢ以上のときには、図９（ａ）のように「０」に設定されており、電源温度が遮断可能温度ＴＢより低くなると、図９（ｂ）のように「１」に設定される。また、パラメータ記憶フラグは、システムパラメータの記憶処理が途中であるときには、図９（ａ）のように「０」に設定されており、システムパラメータの記憶処理が完了すると、図９（ｂ）のように「１」に設定される。
【００７３】
図１０は、変更例１に係る電源遮断条件テーブルの監視フラグを設定するための処理を示すフローチャートである。図１０（ａ）は、電源温度フラグの設定処理を示すフローチャートであり、図１０（ｂ）は、パラメータ記憶フラグの設定処理を示すフローチャートである。これら設定処理は、シャットダウン処理の開始とともに開始される。
【００７４】
まず、図１０（ａ）を参照して、制御部１０１は、シャットダウン処理が開始されると、外気温度センサ１０５から外気温度を取得するとともに、気圧センサ１０６から外気圧を取得する（Ｓ５０１）。そして、取得した外気温度および外気圧に基づいて、遮断可能温度ＴＢを設定する（Ｓ５０２）。遮断可能温度ＴＢは、電源部１１４の構成部品の劣化等を考慮した最低限の冷却を行うための基準となる温度である。
【００７５】
上記遮断可能温度ＴＡと同様な理由により、遮断可能温度ＴＢも、外気温度が低く外気圧が高いほど、高く設定され、外気温度が高く外気圧が低いほど、低く設定される。制御部１０１は、外気温度および外気圧を用いた演算処理等を行って、当該シャットダウン処理時の遮断可能温度ＴＢを求める。
【００７６】
次に、制御部１０１は、電源温度センサ１１５から電源温度ＴＰを取得する（Ｓ５０３）。そして、電源冷却ファン４２による冷却が進むことにより、電源温度ＴＰが遮断可能温度ＴＢよりも低くなると（Ｓ５０４：ＹＥＳ）、制御部１０１は、「０」に設定されていた電源温度フラグを「１」に設定する（Ｓ５０５）。
【００７７】
次に、図１０（ｂ）を参照して、制御部１０１は、シャットダウン処理が開始されると、パラメータの記憶処理が完了したか否かを判定する（Ｓ６０１）。上述したように、記憶部１０２やサーバーの記憶部に必要なパラメータの記憶が行われることにより、パラメータの記憶処理が完了したと判定すると（Ｓ６０１：ＹＥＳ）、制御部１０１は、「０」に設定されていたパラメータ記憶フラグを「１」に設定する（Ｓ６０２）。
【００７８】
図１１は、変更例１に係る遮断可能報知処理を示すフローチャートである。この処理は、シャットダウン処理の開始とともに開始される。
【００７９】
本変更例では、上記実施の形態の図８の処理に対して、ステップＳ４０７、Ｓ４０８の処理が付加されている。
【００８０】
即ち、ランプ温度フラグおよびパネル電源フラグの状態に加えて、電源温度フラグおよびパラメータ記憶フラグの状態が判定される。これら４つの監視フラグの一つでも「０」のままであれば、制御部１０１は、電源遮断条件テーブルの監視を続ける。そして、４つの監視フラグの全てが「１」となると（Ｓ４０２：ＹＥＳ→Ｓ４０３：ＹＥＳ→Ｓ４０７：ＹＥＳ→Ｓ４０８：ＹＥＳ）、制御部１０１は、商用電源が遮断可能である旨をユーザに報知する（Ｓ４０４）。上記実施の形態と同様、かかる報知は、たとえば、ＬＥＤ５０の表示状態を「緑」の点灯表示から「赤」の点灯表示に変えることにより行われる。
【００８１】
さて、パネル温度の理由と同様、電源温度ＴＰが遮断可能温度ＴＢ以下となる時間、即ち電源温度フラグが「１」となる時間は、その時々により変動する。また、システムパラメータを記憶する時間もデータの量により変動し得る。特に、システムパラメータが、ネットワークを介してサーバー等の記憶部に記憶される場合には、ネットワークの状態やサーバー等の状態により記憶に要する時間が大きく変動しやすい。
【００８２】
本変更例では、電源部１１４の冷却に要する時間やシステムパラメータの記憶が完了するまでの時間が変動しても、商用電源が遮断可能となったことを、適正なタイミングで報知することができる。
【００８３】
なお、変更例１では、遮断条件として、電源部１１４の温度と、システムパラメータの記憶処理の２つの条件を付加するようにしたが、どちらか一方の遮断条件を付加するようにしてもよい。
【００８４】
＜変更例２＞
図１２は、変更例２に係る電源遮断条件テーブルの監視フラグを設定するための処理を示すフローチャートである。図１２（ａ）は、ランプ温度フラグの設定処理を示すフローチャートであり、図１２（ｂ）は、パネル電源フラグの設定処理を示すフローチャートである。また、図１２（ｃ）は、電源温度フラグの設定処理を示すフローチャートである。
【００８５】
上記実施の形態では、ランプ温度ＴＲと遮断可能温度ＴＡと比較することにより、ランプ温度フラグの設定を行うようにした。これに対し、本変更例では、シャットダウン処理が開始されてからのランプ２１の冷却時間に基づいてランプ温度フラグの設定を行うようにしている。
【００８６】
また、上記実施の形態では、予め定めた所要時間に基づいてパネル電源フラグの設定を行うようにした。これに対し、本変更例では、液晶パネル２３、２４、２５の電源立ち下げシーケンスが完了したか否かを検出することにより、パネル電源フラグの設定を行うようにしている。
【００８７】
さらに、変更例１では、電源温度ＴＰと遮断可能温度ＴＢと比較することにより、電源温度フラグの設定を行うようにした。これに対し、本変更例では、シャットダウン処理が開始されからの電源部１１４の冷却時間に基づいて電源温度フラグの設定を行うようにしている。
【００８８】
まず、図１２（ａ）を参照して、制御部１０１は、シャットダウン処理が開始されると、外気温度センサ１０５から外気温度を取得するとともに、気圧センサ１０６から外気圧を取得する（Ｓ２１１）。そして、取得した外気温度および外気圧に基づいて、ランプ冷却時間を設定する（Ｓ２１２）。ランプ冷却時間は、ランプ２１の劣化を考慮した最低限の冷却を行うために要する冷却時間であり、上記遮断可能温度ＴＡに到達するのに要する時間に相当する。
【００８９】
外気温度が低く外気圧が高いほど、ランプ２１の温度が低下しやすくなるため、ランプ冷却時間は短くされ、外気温度が高く外気圧が低いほど、ランプ２１の温度が低下しにくいため、ランプ冷却時間は長くされる。制御部１０１は、外気温度および外気圧を用いた演算処理等を行って、当該シャットダウン処理時のランプ冷却時間を求める。
【００９０】
次に、制御部１０１は、時間の計測を開始する（Ｓ２１３）。その後、ランプ冷却時間が経過したと判定すると（Ｓ２１４：ＹＥＳ）、制御部１０１は、「０」に設定されていたランプ温度フラグを「１」に設定する（Ｓ２１５）。
【００９１】
次に、図１２（ｂ）を参照して、制御部１０１は、シャットダウン処理が開始されると、電源立ち下げシーケンスが実際に完了したか否かを判定する（Ｓ３１１）。図４（ｂ）に示すように、電源立ち下げシーケンスの最後には電源を立ち下げる処理が行われる。そこで、たとえば、電源端子（図４（ａ）参照）の電圧を検出するようにし、この電圧が所定電圧まで低下すると、シーケンスが完了したと判定する。
【００９２】
制御部１０１は、電源立ち下げシーケンスが完了したと判定すると（Ｓ３１１：ＹＥＳ）、「０」に設定されていたパネル電源フラグを「１」に設定する（Ｓ３１２）。
【００９３】
次に、図１２（ｃ）を参照して、制御部１０１は、シャットダウン処理が開始されると、外気温度センサ１０５から外気温度を取得するとともに、気圧センサ１０６から外気圧を取得する（Ｓ５１１）。そして、取得した外気温度および外気圧に基づいて、電源冷却時間を設定する（Ｓ５１２）。電源冷却時間は、電源部１１４の構成部品の劣化等を考慮した最低限の冷却を行うために要する冷却時間であり、上記遮断可能温度ＴＢに到達するのに要する時間に相当する。
【００９４】
ランプ冷却時間と同様に、外気温度が低く外気圧が高いほど、電源冷却時間は短くされ、外気温度が高く外気圧が低いほど、電源冷却時間は長くされる。制御部１０１は、外気温度および外気圧を用いた演算処理等を行って、当該シャットダウン処理時の電源冷却時間を求める。
【００９５】
次に、制御部１０１は、時間の計測を開始する（Ｓ５１３）。その後、電源冷却時間が経過したと判定すると（Ｓ５１４：ＹＥＳ）、制御部１０１は、「０」に設定されていた電源温度フラグを「１」に設定する（Ｓ５１５）。
【００９６】
変更例２のような構成としても、外気温度および外気圧によって、ランプ冷却時間や電源冷却時間が違ってくるため、やはり、ランプ温度による遮断条件や電源温度による遮断条件を満たすまでの時間は、その時々により変動する。よって、この場合にも、図７や図１１の遮断可能報知処理が実行されることによって、上記実施の形態と同様、ランプ２１や電源部１１４の冷却に要する時間が変動しても、商用電源が遮断可能となったことを適正なタイミングで報知することができる。
【００９７】
＜その他＞
本発明の実施形態は、上記以外にさらに種々の変更が可能である。
【００９８】
たとえば、上記実施の形態では、商用電源が遮断可能である旨をＬＥＤ５０の表示により行うようにしている。しかし、報知形態としてはこれに限られるものではなく、たとえば、プロジェクタにスピーカが搭載されている場合には、ＬＥＤ５０の表示とともに、あるいはこれに替えて、音声などの報知音により商用電源が遮断可能である旨を報知するようにしてもよい。また、ネットワークを介して外部機器（たとえば、パーソナルコンピュータ）に接続されている場合には、外部機器に報知のための信号を送信し、外部機器のモニタやスピーカを用いて商用電源が遮断可能である旨を報知するようにしてもよい。
【００９９】
また、液晶パネル２３、２４、２５（偏光板を含む）の温度を遮断条件として付加するようにしてもよい。この場合、液晶パネルの２３、２４、２５の温度が、所定の温度まで低下すると、それに対応する監視フラグが「１」に設定される。そして、図７や図１１の遮断可能報知処理において、上述の各種フラグに加えて、そのフラグが監視されることとなる。
【０１００】
この他、本発明の実施の形態は、特許請求の範囲に示された技術的思想の範囲内において、適宜、種々の変更が可能である。
【符号の説明】
【０１０１】
２１  ランプ（光源）
２３、２４、２５  液晶パネル
４１  ランプ冷却ファン（光源冷却部）
４２  電源冷却ファン（電源冷却部）
１０１  制御部（シャットダウン制御部、報知制御部）
１０２  記憶部
１１４  電源部
【図１】
2011085806.tif 000003
【図２】
2011085806.tif 000004
【図３】
2011085806.tif 000005
【図４】
2011085806.tif 000006
【図５】
2011085806.tif 000007
【図６】
2011085806.tif 000008
【図７】
2011085806.tif 000009
【図８】
2011085806.tif 000010
【図９】
2011085806.tif 000011
【図１０】
2011085806.tif 000012
【図１１】
2011085806.tif 000013
【図１２】
2011085806.tif 000014